(57)【要約】【課題】  頭部全体をカバーし、平面状に折りたたんで提供することが可能な、花粉症対策用もしくはクリーンルームでの人体頭部からの発塵防止用の防塵フード（１０）を提供すること。【解決手段】  上部が閉塞し、下部が開放した袋状物からなり、当該下部開口部（１２）より頭部に被せた状態において、少なくとも両目に相当する部分が透明シート体（１６）により構成され、前記透明シート体（１６）の部分が、不織布や編織物からなる花粉防御用のメッシュ体（１４）により構成され、かつ前記透明シート体（１６）が可撓性を有してなる防塵フード（１０）。【選択図】                    図２
2006255343.tif 000002
【特許請求の範囲】
【請求項１】
飛散する大量の花粉から防御するための花粉症対策や、クリーンルームでの汚染防止用など、防塵を目的としたフードであって、
上部が閉塞し、下部が開放した袋状物からなり、
当該下部開口部より頭部に被せた状態において、少なくとも両目に相当する部分が光透過性を有する透明シート体により構成され、
前記透明シート体以外の部分が、不織布や編織物からなる防塵メッシュ体により構成されてなることを特徴とする防塵フード。
【請求項２】
前記光透過性を有する透明シート体が、可撓性を有することを特徴とする請求項１記載の防塵フード。
【発明の詳細な説明】
【技術分野】
【０００１】  本発明は防塵フードに関し、詳しくは花粉症対策またはクリーンルームでの汚染防止用の防塵フード（以下、単に「フード」ともいう）に関し、さらに詳しくは頭から肩にかけて広い範囲で防塵ができる花粉症対策またはクリーンルームでの汚染防止用の防塵フードに関する。
【背景技術】
【０００２】  従来より花粉症対策またはクリーンルームでの汚染防止用の周知手段として、マスクを装着することがよく知られている。また、目の粘膜に花粉が付着するのを防ぐべく、メガネやゴーグルを装着することもよく知られている。【０００３】  しかしながら、マスクを装着した際、マスク本体は鼻の立体形状に沿わないことが多く、そのため、鼻の両側で顔とマスク本体の間に隙間が生じてしまい、花粉防御や防塵の点において、さほどの効果は発揮されなかった。【０００４】  ゴーグルを装着する場合にあっても、身体の動きに伴い、ゴーグルの位置ズレによって、顔との間に隙間が出来てしまい、花粉防御や防塵という機能面で満足のいくものではなかった。【０００５】  そこで、マスクに関し、次のような工夫がなされた。すなわち、マスク本体の上部に横方向に延びる針金を内装し、これによってマスク本体を鼻の立体形状に沿うように湾曲させ、鼻の両側に開く隙間を閉塞して花粉の進入を防ごうとする工夫がなされた（特許文献１参照））。
【特許文献１】特開平１０−５３６０号公報
【発明の開示】
【発明が解決しようとする課題】
【０００６】  上記した針金入りマスクにより、花粉の進入や人体からの発塵をある程度防ぐことは出来るが、身体を動かしたり、喋る（口を動かす）といった動作によってマスクが位置ズレを起こすことがしばしばあり、やはり花粉防御や人体からの発塵防止という点ではまだまだ改善の余地はあった。また、マスクとゴーグルの双方を常に持ち運ぶ必要があり、使用者は煩わしい想いをした。【０００７】    ［発明の目的］
本発明は上記の実情に鑑みてなされたものであり、その目的は、花粉の進入防御または人体からの発塵防止という点で比較的広い範囲をカバーでき、また持ち運びが容易な防塵フードを提供するところにある。
【課題を解決するための手段】
【０００８】  請求項１記載の防塵フードは、飛散する大量の花粉から防御するための花粉症対策や、クリーンルームでの汚染防止用など、防塵を目的としたフードであって、上部が閉塞し、下部が開放した袋状物からなり、当該下部開口部より頭部に被せた状態において、少なくとも両目に相当する部分が光透過性を有する透明シート体により構成され、前記透明シート体以外の部分が、不織布や編織物からなる防塵メッシュ体（以下、単に「メッシュ体」ともいう）により構成されてなることを特徴とする防塵フード。【０００９】  請求項２記載防塵フードは、請求項１記載の防塵フードにおいて、前記光透過性を有する透明シート体が、可撓性を有することを特徴とする。
【発明の効果】
【００１０】  請求項１に記載の防振フードは、上部が閉塞し、下部が開放した袋状物（上部が閉塞した無底筒状体）を呈している。使用者は頭部を当該フードの下部開口部から内部に入れ、上から被ることにより用いる。このフードは、不織布や編織物からなる防塵メッシュ体により構成されているので、花粉などの微粒子の人体への進入や、逆にクリーンルーム内への人体からの発塵を広い範囲で防ぐことができ、呼吸の妨げにもならないので好都合である。【００１１】  また、防塵フードは頭部（毛髪部）を完全に覆っているので、外出時に大量の花粉が毛髪に絡みつき、家に持ち帰って部屋の中で飛散させてしまうという心配がない。【００１２】  なお、防塵フードを頭に被せた状態において、少なくとも両目に相当する部分は光透過性を有する透明シート体が位置しているので、視野が遮られず安全である。【００１３】  請求項２に記載の防塵フードは、前記光透過性を有する透明シート体が可撓性を有しているので折り畳みが出来て持ち運びが容易となり、またバックに入れることも可能となる。【００１４】  なお、前記透明シート体もそれ以外の部分であるメッシュ体も、薄くて軽い素材を選択することにより、装着時あるいは脱着時における頭髪の乱れ等を気にすることが少なくなるので好ましい。【００１５】クリーンなどでは多数の見学者に従来は防塵用の、帽子、めがね、そしてマスクを着用していただく必要があったが、本発明の防塵フードは、これだけで頭部全体からの発塵を防止できるので、コストも低く抑えることが出来、畳んだ状態で保管できるので、設置スペースも少なくすることが可能である。
【発明を実施するための最良の形態】
【００１６】透明シート体
本発明における透明シート体としては、光透過性であり、（被った状態において）使用者の視野を妨げることがないものであればどのような素材でも構わない。なかでも、透明性を有する合成樹脂（プラスチック）製のシート（フィルム状のものを含む）が最も好都合である。【００１７】  この透明シート体が可撓性を有していれば、不使用時は折り畳みが出来て持ち運びが容易となり、またバックに入れることも可能となるのでより好都合であり、さらには、曇り止め処理がされていれば、なお好都合である。また静電気防止処理が施されていれば、埃が付着しにくく、また装着時に毛髪が引き寄せられることが防止できる。【００１８】メッシュ体
本発明におけるフードの本体を構成するメッシュ体としては、厚み方向に花粉の進入を防ぐフィルター機能を奏し、使用者の呼吸が確保できるものであればどのようなものでも構わない。例えば、紙（和紙など）や合成樹脂や天然繊維製の不織布、あるいは織物・編物などの布帛などが挙げられる。【００１９】  なお、メッシュ体は、薄くて軽い素材を選択することにより、装着時あるいは脱着時における頭髪の乱れ等を気にすることが少なくなるので好ましい。また静電気防止処理が施されていれば、埃が付着しにくく、また装着時に毛髪が引き寄せられることが防止できる。【００２０】  また、子供用として、フード本体における上部の両側に耳を付けて、動物やキャラクターの形に似せることもできる。【００２１】接  合
前記した透明シート体とメッシュ体は、熱融着により一体的化してもよいし、縫合してもよいし、あるいは接着剤によって両者を接合してもよく、あるいは透明シート体をメッシュ体に対して上からスライドさせて嵌め込む方法など、その他の公知手段を採っても構わない。
【実施例】
【００２２】  以下、本発明の一実施形態を図面に基づいて説明するが、本発明はこれによって限定されるものではない。【００２３】  図１は、本発明に係る防塵フード（１０）を示す全体斜視図である。図に示すように、防塵フード（１０）は上部（１０ａ）が閉塞し、下部が開放した筒状あるいは袋状を呈している。使用者は、図２に示すように、下部開口部（１２）から当該フードの内部に頭部を入れ、上から被ることによりこの防塵フード（１０）を用いる。この際、下部開口部（１２）は使用者の首もとにまで達する。【００２４】  このフード（１０）における符号（１４）はメッシュ体である。このメッシュ体（１４）は、例えばカーゼ地、薄い不織布など防塵用の（フィルター機能を期待した）生地により構成されている。また、符号（１６）は透明シート体である。この透明シート体（１６）は、可撓性を有する合成樹脂よりなり、使用者が当該フード（１０）を被った状態において少なくとも両目部分に相当する部分に構成されている。図面では透明シート体（１６）の形状は四角形であるが、これに限らず、円形、楕円形、菱形などであっても構わない。【００２５】  なお、メッシュ体（１４）と透明シート体（１６）の接合は、本実施例にあっては縫合手段により一体化されているが、これに限らず、例えば接着剤によって両者を接合しても良く、熱融着による手段を採ってもよい。【００２６】  前述したように、使用者は図２に示すように頭部に本発明の防塵フード（１０）を被る。透明シート体（１６）以外の部分のメッシュ体（１４）が頭から首もと迄およんでいるので、使用者の鼻や目が大量の花粉にさらされるという心配はこれでなくなる。また、防塵フード（１０）は毛髪部を完全に覆っているので、外出時に大量の花粉が毛髪に絡みつき、家に持ち帰って部屋の中で花粉を飛散させてしまうという心配もない。【００２７】  なお、図示は省略するが、メッシュ体（１４）における下部開口部（１２）の近傍（首もとに相当する部分）において、当該下部開口部（１２）を締め付ける閉じ紐（たとえば、下部開口部（１２）の周方向に張り巡らした紐）を取り付け、これにより首もとから進入しようとする花粉を防ぐように構成することもできる。【００２８】  また、使用者の耳に相当する部分において、メッシュ体（１４）における網目の大きさを若干大きくして、あるいは小さな穴を開けて、外からの音を聞こえ易く工夫することもできる。
【図面の簡単な説明】
【００２９】
【図１】本発明の防塵フードの一実施例を示した斜視図。
【図２】前図の防塵フードを装着した（被った）状態を示す略示斜視図。
【符号の説明】
【００３０】  １０……防塵フード
１２……下部開口部
１４……メッシュ体
１６……透明シート体
【図１】
2006255343.tif 000003
【図２】
2006255343.tif 000004